(57)【要約】【課題】盤面扉を開いた状態でも、盤面に設けられている操作用パネルへのアクセスを容易にする操作用パネルの取り付け構造、及び操作用パネルの取扱い方法を提供することを課題とする。【解決手段】装置の操作用パネルを前記装置の盤面扉に取り付ける取り付け構造であって、前記盤面扉に設けられ、前記操作用パネルを内置可能な開口部と、前記開口部の縁に取り付けられ、正面を前記盤面扉の外側に向けた状態で前記開口部に内置される前記操作用パネルを支持し、且つ、前記操作用パネルを、前記操作用パネルの正面を前記盤面扉の内側に向けた状態においても支持可能な支持部と、を備える。【選択図】図６
2013197529.tif 000002
【特許請求の範囲】
【請求項１】
装置の操作用パネルを前記装置の盤面扉に取り付ける取り付け構造であって、
前記盤面扉に設けられ、前記操作用パネルを内置可能な開口部と、
前記開口部の縁に取り付けられ、正面を前記盤面扉の外側に向けた状態で前記開口部に内置される前記操作用パネルを支持し、且つ、前記操作用パネルを、前記操作用パネルの正面を前記盤面扉の内側に向けた状態においても支持可能な支持部と、を備える、
操作用パネルの取り付け構造。
【請求項２】
前記開口部は、前記操作用パネルを前記盤面扉の内側から挿置可能であり、
前記支持部は、前記操作用パネルの背面に固定され、且つ、前記盤面扉の裏面に設けた被取り付け部に着脱自在に取り付けられる、
請求項１に記載の操作用パネルの取り付け構造。
【請求項３】
前記支持部は、前記開口部の縁に回動可能に取り付けられ、又は前記操作用パネルの背面に回動可能に取り付けられる、
請求項１に記載の操作用パネルの取り付け構造。
【請求項４】
装置の盤面扉に取り付けられた操作用パネルの取扱い方法であって、
前記開口部の縁に取り付けられ、正面を前記盤面扉の外側に向けた状態で前記開口部に内置される前記操作用パネルを支持し、且つ、前記操作用パネルを、前記操作用パネルの正面を前記盤面扉の内側に向けた状態においても支持可能な支持部により支持される前記操作用パネルの固定状態を解除し、
前記操作用パネルの正面が前記盤面扉の内側を向くように前記操作用パネルを旋回する、
操作用パネルの取扱い方法。
【発明の詳細な説明】
【技術分野】
【０００１】
本願は、操作用パネルの取り付け構造、及び操作用パネルの取扱い方法を開示する。
【背景技術】
【０００２】
近年、各種操作の受付や情報の表示を司る操作用のモニタパネルを備えた装置がある（例えば、特許文献１−３を参照）。また、各種の処理を司る装置の中には、盤面の扉を開いて保守作業を行うことが可能なものも存在する（例えば、特許文献４を参照）。
【先行技術文献】
【特許文献】
【０００３】
【特許文献１】特開２００９−２０６９８２号公報
【特許文献２】特開平９−３２７５５７号公報
【特許文献３】特開平１０−３０５０６４号公報
【特許文献４】特開２００７−３１７８６６号公報
【発明の概要】
【発明が解決しようとする課題】
【０００４】
装置の保守作業に際しては、盤面に取り付けられている操作用パネルの操作や表示の確認を行い、内部機器の動作確認や設定変更等が行われる。操作用パネルには、多数のスイッチを固定したスイッチパネルや、各種の状態表示灯を固定した状態表示パネル、各種操作の受付や情報の表示を司るモニタパネル等がある。
【０００５】
盤面が扉になっている機器の保守作業においては、盤面の扉を開いた状態で、盤面の扉に取り付けられている操作用パネルにアクセスしたい場合がある。例えば、盤内の機器の作動状態を確認したい場合、盤面の扉に取り付けられている操作用パネルを操作して盤内の機器を作動させる。
【０００６】
しかし、盤面の扉を開いた状態だと、盤内の機器を保守する作業者に対しては、盤面の扉の裏側が向いた状態となる。よって、盤内の機器を保守する作業者は、盤面の扉に取り付けられている操作パネルを操作することができない。
【０００７】
そこで、盤面の扉を開いた状態で、操作用パネルにアクセスすることが想定される機器については、操作用パネルのみを自在アーム等に設置することも考えられる。例えば、モニタパネルを自在アームに設置すれば、モニタパネルの位置を自在に変更可能であるため、盤面の扉を開いた状態でも、モニタパネルを作業者の見やすい位置に移動することが可能である。
【０００８】
しかし、操作用パネルの自在な移動を実現可能にする自在アーム等の可動式支持機構を設けると、可動用のスペースを装置周辺の保守エリアに設けることになり、事実上、装置の大型化に繋がる。
【０００９】
そこで、本願は、盤面扉を開いた状態でも、盤面に設けられている操作用パネルへのアクセスを容易にする操作用パネルの取り付け構造、及び操作用パネルの取扱い方法を提供することを課題とする。
【課題を解決するための手段】
【００１０】
本願は、下記の操作用パネルの取り付け構造を開示する。
装置の操作用パネルを前記装置の盤面扉に取り付ける取り付け構造であって、
前記盤面扉に設けられ、前記操作用パネルを内置可能な開口部と、
前記開口部の縁に取り付けられ、正面を前記盤面扉の外側に向けた状態で前記開口部に内置される前記操作用パネルを支持し、且つ、前記操作用パネルを、前記操作用パネルの正面を前記盤面扉の内側に向けた状態においても支持可能な支持部と、を備える、
操作用パネルの取り付け構造。
【００１１】
また、本願は、下記の操作用パネルの取扱い方法を開示する。
装置の盤面扉に取り付けられた操作用パネルの取扱い方法であって、
前記開口部の縁に取り付けられ、正面を前記盤面扉の外側に向けた状態で前記開口部に内置される前記操作用パネルを支持し、且つ、前記操作用パネルを、前記操作用パネルの正面を前記盤面扉の内側に向けた状態においても支持可能な支持部により支持される前記操作用パネルの固定状態を解除し、
前記操作用パネルの正面が前記盤面扉の内側を向くように前記操作用パネルを旋回する、
操作用パネルの取扱い方法。
【発明の効果】
【００１２】
上記操作用パネルの取り付け構造であれば、盤面の扉を開いた状態でも、盤面に取り付けた操作用パネルへのアクセスが容易になる。
【図面の簡単な説明】
【００１３】
【図１】実施形態に係る取り付け構造を適用した基板検査装置を例示した図である。
【図２】盤面扉を開いた状態の基板検査装置を例示した図である。
【図３】取り付け構造を例示した図である。
【図４】被取り付け部に取り付けられている支持部材の取り付け部分を拡大した図である。
【図５】モニタを開口部に固定した状態の取り付け構造を例示した図である。
【図６】モニタの取扱い方法を例示した図である。
【図７】モニタの正面を盤面扉の内側へ向けた状態で行う保守作業を例示した図である。
【図８】実施形態に係る取り付け構造の第一変形例を例示した図である。
【図９】実施形態に係る取り付け構造の第二変形例を例示した図である。
【発明を実施するための形態】
【００１４】
以下、操作用パネルの取り付け構造の実施形態について説明する。以下に示す実施形態は、取り付け構造の一態様を例示するものであり、本願で開示する取り付け構造の技術的範囲を以下の態様に限定するものではない。
【００１５】
図１は、実施形態に係る取り付け構造を適用した基板検査装置を例示する。基板検査装置１は、電子基板を検査する各種の機器を内部に収めた筐体２と、筐体２の正面側の盤面を形成する盤面扉３とを備える。盤面扉３には、基板検査装置１を操作するために用いる各種の情報や操作ボタンを表示するパネル状のモニタ４が設けられている。モニタ４は、本願でいう操作用パネルの一例である。
【００１６】
図２は、盤面扉３を開いた状態の基板検査装置１を例示する。基板検査装置１の筐体２には、電子基板を検査する各種の機器が収められている。基板検査装置１の保守を行う際は、盤面扉３を開いて保守作業を行う。保守作業の際は、オペレータが、筐体２に収められている機器の動作状態の確認を行う。
【００１７】
図３は、モニタ４を盤面扉３に取り付ける取り付け構造１０を例示する。取り付け構造１０は、盤面扉３に設けられ、モニタ４が固定される開口部１１を備える。開口部１１は、盤面扉３を貫通する方形の穴であり、モニタ４を内置可能な大きさを有している。ここで、内置とは、開口部１１の内部にモニタ４を設置することをいい、例えば、盤面扉３の表側から開口部１１を通して画面を目視可能な位置にモニタ４を配置することをいう。
【００１８】
なお、開口部１１は、盤面扉３の内側から開口部１１内にモニタ４を挿置可能であれば如何なる形状であってもよい。例えば、開口部１１は、開口部１１の縁とモニタ４との間の隙間から筐体２の内部が見えないよう、盤面扉３の盤面を形成する板材が、開口部１１の縁とモニタ４との間の隙間を覆い隠してもよい。
【００１９】
モニタ４の背面には、支持部材１２が固定されている。支持部材１２は、Ｔ字状の部材であり、盤面扉３の裏面の開口部１１の縁に設けた被取り付け部１３に着脱自在に取り付けられ、開口部１１に内置されるモニタ４を支持する。
【００２０】
また、取り付け構造１０は、モニタ４の背面に取り付けられた支持部材１２を、開口部１１の縁に設けた被取り付け部１３に取り付けるための固定ネジ１４を備える。固定ネジ１４は、支持部材１２に設けられたダルマ穴１５に挿通され、被取り付け部１３に設けられたネジ穴１６に螺合する。
【００２１】
図４は、被取り付け部１３に取り付けられる支持部材１２の取り付け部分を拡大した図である。支持部材１２のダルマ穴１５は、被取り付け部１３のネジ穴１６に螺合された状態の固定ネジ１４を挿通することが可能である。よって、固定ネジ１４を緩めた状態にしておけば、モニタ４を支持する支持部材１２を被取り付け部１３に容易に着脱可能である。また、固定ネジ１４を締めると、支持部材１２が被取り付け部１３に固定される。
【００２２】
なお、支持部材１２に設けられている複数のダルマ穴１５は、支持部材１２の中心部を挟んで左右対称に形成されている。よって、支持部材１２の左右を反転した場合、換言すると、支持部材１２が取り付けられているモニタ４を旋回し、モニタ４の正面が盤面扉３の内側を向くようにした状態であっても、支持部材１２を被取り付け部１３に固定可能である。
【００２３】
図５は、モニタ４を開口部１１に固定した状態の取り付け構造１０を例示する。基板検査装置１を普通に使用する場合、モニタ４は、正面を盤面扉３の外側へ向けた状態で開口部１１に固定される。また、モニタ４は、固定ネジ１４により被取り付け部１３に固定された支持部材１２により、開口部１１内で支持される。
【００２４】
図６は、上記取り付け構造１０によって取り付けられたモニタ４の取扱い方法を例示した図である。盤面扉３を開いた状態で基板検査装置１の保守を行う際、オペレータは、モニタ４を次のように取り扱う。すなわち、オペレータは、固定ネジ１４を緩め、支持部材１２を被取り付け部１３からモニタ４と共に取り外す（図６（Ａ）を参照）。次に、オペレータは、モニタ４の正面が盤面扉３の内側を向くようにモニタ４を旋回する（図６（Ｂ）を参照）。次に、オペレータは、支持部材１２を被取り付け部１３へモニタ４と共に取り付け、固定ネジ１４を締める（図６（Ｃ）を参照）。
【００２５】
上記モニタ４の取扱い方法を実行することにより、モニタ４は、正面を盤面扉３の内側に向けた状態で盤面扉３に固定される。また、モニタ４を基に戻す場合は、上記取扱い方法を逆の手順で実行する。
【００２６】
図７は、モニタ４の正面を盤面扉３の内側へ向けた状態で行う保守作業を例示する。本
実施形態に係る取り付け構造１０であれば、盤面に設けられているモニタ４を、盤面扉３の外側に正面を向けた状態のみならず、盤面扉３の内側に正面を向けた状態で盤面扉３に取り付けることが可能である。よって、オペレータＯＰは、筐体２の内部の保守作業を行う場合に、盤面扉３を開いた状態でもモニタ４へ容易にアクセスすることが可能である。従って、オペレータＯＰは、モニタ４を操作し或いはモニタ４の表示を確認しながら、筐体２に収められている機器の状態を確認することが可能である。
【００２７】
なお、本実施形態に係る操作用パネルの取り付け構造は、基板検査装置１のみならず、操作用パネルを装置の盤面扉に設けた様々な装置に適用することが可能である。操作用パネルを装置の盤面扉に設けた装置としては、例えば、工場やプラントなどに据え付けられる各種の制御盤、内部に配置した試料を各種のセンサで分析する分析装置等を挙げることができる。
【００２８】
また、本実施形態に係る操作用パネルの取り付け構造は、モニタ４のみならず、様々な操作用パネルについても適用することが可能である。操作用パネルとしては、例えば、操作に用いる情報の表示のみを司るモニタパネル、各種の操作を受付可能なタッチ式のモニタパネル、多数のスイッチを固定したスイッチパネル、各種の状態表示灯を固定した状態表示パネルがある。
【００２９】
＜取り付け構造の第一変形例＞
図８は、上記実施形態に係る取り付け構造１０の第一変形例を例示する。本第一変形例に係る取り付け構造２０は、開口部１１の縁に設けた被取り付け部１３と同様の被取り付け部２３が、開口部１１の縁以外の箇所にも設けられている。その他の構成は、上記実施形態に係る取り付け構造１０と同様である。
【００３０】
本変形例に係る取り付け構造２０であれば、被取り付け部２３を開口部１１から離れた任意の位置に設けることも可能である。これにより、モニタ４を、開口部１１以外の、保守作業に適した位置に取り付けることが可能となる。
【００３１】
＜取り付け構造の第二変形例＞
図９は、上記実施形態に係る取り付け構造１０の第二変形例を例示する。本第二変形例に係る取り付け構造３０は、モニタ４を開口部１１内に回動可能な状態で取り付けている。
【００３２】
すなわち、本変形例においてモニタ４の背面に設けられる支持部材３２は、実施形態に係る支持部材１２と異なり、上下方向に延在する棒状の部材である。支持部材３２の上下端は、開口部１１の上側部分に設けた軸受３７Ｕと、開口部１１の下側部分に設けた軸受３７Ｌに支持されている。よって、支持部材３２は、軸受３７Ｕ，３７Ｌの回転軸を中心に回動可能である。支持部材３２が回動すると、支持部材３２に支持されているモニタ４も支持部材３２に追従して回動する。
【００３３】
また、支持部材３２の下端を支持する軸受３７Ｌには、モニタ４の回動を防止する固定ネジ３４が設けられている。固定ネジ３４を締めると、固定ネジ３４の先端が支持部材３２の周面に当接する。なお、固定ネジ３４は、軸受３７Ｕに設けられていてもよい。また、モニタ４の回動を防止する手段は、固定ネジ３４に限定されるものではない。モニタ４の回動を止める手段としては、例えば、支持部材３２に設けた穴に挿通されるピンや、支持部材３２の周面に当接する摩擦材、モニタ４に係合するストッパー等が挙げられる。
【００３４】
本第二変形例において、盤面扉３を開いた状態で基板検査装置１の保守を行う場合、オペレータは、モニタ４を次のように取り扱う。すなわち、オペレータは、固定ネジ３４を
緩め、モニタ４の固定状態を解除する。次に、オペレータは、モニタ４の正面が盤面扉３の内側を向くようにモニタ４を旋回する。旋回方向は左方向と右方向の何れであってもよいが、モニタ４と繋がるケーブル類の取り回しが容易な方向に旋回すると、旋回が容易である。次に、オペレータは、固定ネジ３４を締め、モニタ４を固定状態にする。
【００３５】
上記モニタ４の取扱い方法を実行することにより、モニタ４は、正面を盤面扉３の内側に向けた状態で盤面扉３に固定される。また、モニタ４を元に戻す場合は、上記取扱い方法を逆の手順で実行する。
【００３６】
本第二変形例に係る取り付け構造３０であれば、モニタ４の旋回作業で、モニタ４の正面を盤面扉３の外側と内側の何れにも向けることが可能であるため、モニタ４の取扱いが容易である。
【符号の説明】
【００３７】
１・・基板検査装置：２・・筐体：３・・盤面扉：４・・モニタ：１０，２０，３０・・取り付け構造：１１・・開口部：１２，３２・・支持部材：１３，２３・・被取り付け部：１４，３４・・固定ネジ：１５・・ダルマ穴：１６・・ネジ穴：３７Ｕ，３７Ｌ・・軸受：ＯＰ・・オペレータ
【図１】
2013197529.tif 000003
【図２】
2013197529.tif 000004
【図３】
2013197529.tif 000005
【図４】
2013197529.tif 000006
【図５】
2013197529.tif 000007
【図６】
2013197529.tif 000008
【図７】
2013197529.tif 000009
【図８】
2013197529.tif 000010
【図９】
2013197529.tif 000011